(57)【要約】 【課題】 一枚のシート材からなり、折り畳み時略長方形の扇子を第１側板部の斜めの折り目と、第２側板部の一方の下部の遊動部の作用で扇状、立体的に開閉でき興趣を増大する。【解決手段】  開閉可能な扇子であって、ほぼ四角形のシート材からなり、略長方形の正面板部２と、該正面板部の両側に第１折り目５を介して設けられた第１側板部３と、該第１側板部の側部に第２折り目６を介して設けられた第２側板部４とを折り畳み可能に備え、前記それぞれの第１側板部３は前記正面板部の裏面の下部側に斜めに折り込むための斜めの第３折り目７を有し、前記第２側板部４の一方の下端部には、前記正面板部の下端部に固定する固定部１４と、前記扇子が閉じている時に折り返えされかつ開いた時に展開する遊動部１３とを有する底板部９を備えた扇子。【選択図】    図６
0003114461.tif 000002
【実用新案登録請求の範囲】
【請求項１】
開閉可能な扇子であって、該扇子は、
ほぼ四角形のシート材からなり、略長方形の正面板部と、該正面板部の両側に第１折り目を介して設けられ、かつ前記正面板部とほぼ同幅の２つの第１側板部と、該それぞれの第１側板部の側部に第２折り目を介して設けられ、かつ前記正面板部とほぼ同幅の２つの第２側板部とを折り畳み可能に備え、
さらに、前記それぞれの第１側板部は、前記第２折り目付近の上端より前記第１折り目の下端を結び、該第１側板部を前記正面板部の裏面の下部側に斜めに折り込むための斜めの第３折り目を有し、
前記第２側板部の一方の下端部には、前記正面板部の下端部に固定する固定部と、前記扇子が閉じている時に折り返えされかつ開いた時に展開する遊動部とを有する底板部を備え、
さらに、前記扇子は、前記第１折り目により折り曲げられるとともに前記遊動部が折り返された状態において閉じており、前記第１の折り目による折り曲げを解除し前記第３の折り目による折り曲げに移行するとともに前記遊動部が展開することにより開くものであることを特徴とする扇子。
【請求項２】
開閉可能な扇子であって、該扇子は、
ほぼ四角形のシート材からなり、略長方形の正面板部と、該正面板部の両側に第１折り目を介して設けられ、かつ前記正面板部とほぼ同幅の２つの第１側板部と、該それぞれの第１側板部の側部に第２折り目を介して設けられ、かつ前記正面板部とほぼ同幅の２つの第２側板部とを折り畳み可能に備え、
さらに、前記それぞれの第１側板部は、前記第２折り目付近の上端より前記第１折り目の下端を結び、該第１側板部を前記正面板部の裏面の下部側に斜めに折り込むための斜めの第３折り目を有し、
前記第２側板部の一方の下端部には、前記正面板部の下端部に固定する固定部と、前記扇子を閉じている時に折り返えされかつ開いた時に展開する遊動部とを有する底板部を備え、
前記底板部の前記固定部は、前記底板部を有する前記第２側板部を前記第２折り目により前記第１側板部の裏面側に折り、かつ、該第１側板部を前記第１折り目により前記正面板部の裏面側に折った状態にて、前記正面板部の下端部へ固定されており、
さらに、前記扇子は、前記底板部を備えない前記第２側板部が、前記第２折り目により前記第１側板部の裏面側に折り曲げられ、かつ、該第１側板部が前記第１折り目により前記正面板部の裏面側に折り曲げた状態にて、前記底板部を有する側の第２側板部が折り曲げられた第１側板部と前記正面板部との間に挿入され、かつ前記遊動部は折り返されているとともに当該状態において閉じており、前記前記第１の折り目による折り曲げを解除し前記第３の折り目による折り曲げに移行するとともに前記遊動部が展開することにより開くものであることを特徴とする扇子。
【考案の詳細な説明】
【技術分野】
【０００１】
この考案は、一枚の四角形の板紙、ダンボール紙、合成樹脂シート等シート材を用いて折り目で折り曲げて組み立て、使用時は扇形に広げ、折り畳み時には正面板部に側板部を折り重ねて閉じるようにした扇子に関する。
【背景技術】
【０００２】
従来、紙又は合成樹脂製の折り畳み式扇子として、シートを扇形状に形成し、該扇形の中心角部から円弧状部にかけて扇形を複数に等分割するように折り目を設け、折り目に沿って折り畳み可能としたものが提案されている。（特許文献１参照）。
【０００３】
【特許文献１】特開２００３−５２４３３
【考案の開示】
【考案が解決しようとする課題】
【０００４】
特許文献１の扇子は、紙又は合成樹脂シートで、開いた扇が平面的で弱く、基部を手に持って扇ぐ時に扇が折れる恐れがあり、特に下部に穴を設けているので下部が弱く折れやすいという問題があり、また扇形が平面的で広告などが平面的になるので興趣が少ないなどの問題がある。
【０００５】
この考案は、このような問題点を解消するために、四角形の板紙、合成樹脂シート等シート材で、略長方形の正面板部の両側にそれぞれ第１側板部、第２側板部を折り目を介して設け、折り畳み時略長方形の扇子を両側の第１側板部に設けた斜めの折り目と、一方の第２側板の底板部に設けた遊動部との作用で、扇状、立体的に開くことができ、興趣を増大できる扇子を提供することを目的とする。
【課題を解決するための手段】
【０００６】
この考案の請求項１の扇子は、開閉可能な扇子であって、該扇子は、
ほぼ四角形のシート材からなり、略長方形の正面板部と、該正面板部の両側に第１折り目を介して設けられ、かつ前記正面板部とほぼ同幅の２つの第１側板部と、該それぞれの第１側板部の側部に第２折り目を介して設けられ、かつ前記正面板部とほぼ同幅の２つの第２側板部とを折り畳み可能に備え、
さらに、前記それぞれの第１側板部は、前記第２折り目付近の上端より前記第１折り目の下端を結び、該第１側板部を前記正面板部の裏面の下部側に斜めに折り込むための斜めの第３折り目を有し、
前記第２側板部の一方の下端部には、前記正面板部の下端部に固定する固定部と、前記扇子が閉じている時に折り返えされかつ開いた時に展開する遊動部とを有する底板部を備え、
さらに、前記扇子は、前記第１折り目により折り曲げられるとともに前記遊動部が折り返された状態において閉じており、前記第１の折り目による折り曲げを解除し前記第３の折り目による折り曲げに移行するとともに前記遊動部が展開することにより開くものであることを特徴とする。
【０００７】
この考案の請求項２の扇子は、開閉可能な扇子であって、該扇子は、
ほぼ四角形のシート材からなり、略長方形の正面板部と、該正面板部の両側に第１折り目を介して設けられ、かつ前記正面板部とほぼ同幅の２つの第１側板部と、該それぞれの第１側板部の側部に第２折り目を介して設けられ、かつ前記正面板部とほぼ同幅の２つの第２側板部とを折り畳み可能に備え、
さらに、前記それぞれの第１側板部は、前記第２折り目付近の上端より前記第１折り目の下端を結び、該第１側板部を前記正面板部の裏面の下部側に斜めに折り込むための斜めの第３折り目を有し、
前記第２側板部の一方の下端部には、前記正面板部の下端部に固定する固定部と、前記扇子を閉じている時に折り返えされかつ開いた時に展開する遊動部とを有する底板部を備え、
前記底板部の前記固定部は、前記底板部を有する前記第２側板部を前記第２折り目により前記第１側板部の裏面側に折り、かつ、該第１側板部を前記第１折り目により前記正面板部の裏面側に折った状態にて、前記正面板部の下端部へ固定されており、
さらに、前記扇子は、前記底板部を備えない前記第２側板部が、前記第２折り目により前記第１側板部の裏面側に折り曲げられ、かつ、該第１側板部が前記第１折り目により前記正面板部の裏面側に折り曲げた状態にて、前記底板部を有する側の第２側板部が折り曲げられた第１側板部と前記正面板部との間に挿入され、かつ前記遊動部は折り返されているとともに当該状態において閉じており、前記前記第１の折り目による折り曲げを解除し前記第３の折り目による折り曲げに移行するとともに前記遊動部が展開することにより開くものであることを特徴とする。
【考案の効果】
【０００８】
この考案の扇子によれば、略長方形の正面板部の両側に第１折り目を介して設けた第１側板部と、該それぞれの第１側板部の側部に第２折り目を介して設けた第２側板部とを折り畳み可能に備え、前記第１側板部は、前記正面板部の裏面の下部側に斜めに折り込むための斜めの第３折り目を有し、前記第２側板部の一方の下端部の底板部は、前記正面板部の下端部に固定する固定部と、前記扇子が閉じている時に折り返えされかつ開いた時に展開する遊動部とを有し、前記扇子は、前記第１折り目により折り曲げられるとともに前記遊動部が折り返された状態において閉じ、前記第１の折り目による折り曲げを解除し前記第３の折り目による折り曲げに移行するとともに前記遊動部が展開することにより開くので、折り畳み時略長方形の扇子を扇状に開くことができる。この扇子は１枚のシート材だけで組立できるので、安価に提供することができる。扇子の正面板部、側板部が長方形であるから広告等の表示面を従来の扇子より広くとるができる。またこの扇子は開いた場合には第１側板部を第３折り目で折って前記正面板部の裏面の下部側に斜めに折り込むので、第１側板部の折り曲げ部が重なり、扇子の下部が丈夫となり、かつ扇子が立体的となり、扇子に表示した広告が立体的となるので、興趣を増大でき、商品価値を向上できる。そして、扇子を折り畳む時には、長方形の正面板部の裏面に正面板部とほぼ同幅とした前記両側の側板部を重ね合わせて閉じるので、折り畳み持ち運びに便利である。
【０００９】
この考案の扇子によれば、前記第２側板部の一方の下端部に設ける底板部の前記固定部は、前記底板部を有する前記第２側板部を前記第２折り目により前記第１側板部の裏面側に折り、かつ、該第１側板部を前記第１折り目により前記正面板部の裏面側に折った状態にて、前記正面板部の下端部へ固定されており、前記底板部を備えない前記第２側板部が、前記第１側板部の裏面側に折り曲げられ、かつ、該第１側板部が前記正面板部の裏面側に折り曲げた状態で、前記底板部を有する側の第２側板部が折り曲げられた第１側板部と前記正面板部との間に挿入され、かつ前記遊動部は折り返されているとともに当該状態において閉じて正面板部の裏面に両側の第１側板部、第２側板部を重ね合わせて長方形状にコンパクトに折り畳みでき、前記前記第１の折り目による折り曲げを解除し前記第３の折り目による折り曲げに移行するとともに前記遊動部が展開することにより開くので、略長方形の扇子を扇状、立体的に開くことができる。長方形状の扇子を開閉できるので、従来の扇子とは趣を異にする新しい形態、デザインの扇子を提供でき、商品価値を向上できる。
【考案を実施するための最良の形態】
【００１０】
この考案の扇子の実施形態を図面に基づいて説明する。図１はこの考案の扇子を開いた状態の正面図、図２は同背面図、図３は同平面図、図４は底板部を折り曲げ固定した状態の要部断面図、図５は扇子の正面側展開図、図６は扇子の背面側展開図、図７は扇子の第３折り目を折り込む状態の背面側斜視図、図８は組み立てた扇子を開きかけた状態の背面側斜視図、図９は扇子を閉じた状態の正面図、図１０は同背面図、図１１は同拡大平面図である。
【００１１】
図５および図６において、１はほぼ四角形の板紙、ダンボール紙、合成樹脂シート等シート材で、四角形をほぼ５等分して、中央の略長方形の正面板部２と、該正面板部２の両側に第１折り目５を介して設けられ、かつ前記正面板部２とほぼ同幅の２つの第１側板部３と、該それぞれの第１側板部３の側部に第２折り目６を介して設けられ、かつ前記正面板部２とほぼ同幅の２つの第２側板部４とが折り畳み可能に備えられる。前記正面板部２、第１側板部３、第２側板部４はほぼ同じ幅の長方形として、折り畳み時第１側板部３、第２側板部４を第１折り目５、第２折り目６で折り返して正面板部２の裏面に重ねて閉じるようにする。一方の第２側板部４の下端を延長して底板部９が形成されている。
前記シート材１には片面或いは両面に広告、絵画、文字等を印刷或いは描くなどして表示し、その後シート材１に折り目を付けるプレス等の手段で第１折り目５、第２折り目６、第３折り目７、さらには、第４折り目１０、第５折り目１１を付けて、扇子を開いた時、および／或いは閉じた時に広告、絵画、文字等を視認できるようする。扇子には、例えば博覧会の会場内地図、花火大会、各種公演会のプログラム等を印刷し、閉じた扇子の正面板部には博覧会、花火大会、各種公演会等の表示など、側板部にプログラム、地図、或いは正面板部と側板部の全体を利用して一連にプログラム、地図等を表示することも自由にできる。
この正面板部２、両側の第１側板部３の上面は一つの円弧面とし、第２側板部４の上面も、円弧面とし、扇子を組み立てて開いた時、扇子の上面全体が一つの円弧面の扇形となるようにカットするのが好ましい。正面板部２、両側の第１側板部３、第２側板部４の上面の形状は円弧面に限るものでなく、適宜形状とすることができる。
【００１２】
前記それぞれの第１側板部３は、前記第２折り目６付近の上端より前記第１折り目５の下端を結び、該第１側板部３を前記正面板部２の裏面の下部側に斜めに折り込むための斜めの第３折り目７を有す。すなわち、前記第１側板部３は、第２折り目６付近の上端Ａ点より第１折り目５の下端Ｂ点を結び、前記正面板部２の裏面の下部側に斜めに折り込む斜めの第３折り目７が設けられる。Ａ点は第２折り目６の上端より第１折り目５側に若干の間隔をおいて設け、第１側板部３をＡ点とＢ点を結ぶ第３折り目７で折り曲げると上端から下端まで断面くの字状となり、断面くの字状の折り曲げ部はシート材の弾性で若干開かれるので、扇子を開いた時立体的となる。Ａ点は第２折り目６の上端とすることも含む。
図１乃至図３において、扇子を開く時は、正面板部２の両側の第１折り目５で展開して第１側板部３が左右に開かれ、この開いた両側の第１側板部３が斜めの第３折り目７で折り曲げられて前記正面板部２の裏面側の下部において互い違いに重ねられた状態で、その第１側板部３に対して第２折り目６で第２側板部４が外側に折り曲げられて左右に開かれ、扇子が扇形、立体的に開かれる。
扇子を開いた時、両側の第１側板部３を折り目７で折り曲げて互い違いに重ねる構造としたので、扇子が丈夫となり、扇子の下部の補強の役割をさせ、扇子の基部を手に持って扇ぐ時に扇子が基部より折れ曲るのを防ぐことができる。また、正面板部、両側の第１側板部、第２側板部の折り目５、６と第１側板部３の折り込む第３折り目７の作用で、図３に示すように開いた扇子が立体的となり、扇子に印刷した広告が立体的となるので、興趣を増大でき、商品価値を向上できる。
図９乃至図１１において、折り畳み時は、両側の第１側板部３を正面板部２に対して第１折り目５で内側に折り曲げ、両側の第１側板部３の第３折り目７は真っ直ぐ広げられ、両側の第１側板部３と第２側板部４が第２折り目６で断面くの字に折り曲げられ、正面板部２と折り曲げた一方の第１側板部３との間の開口側に、他方のくの字に折り曲げた第１側板部３と第２側板部４が挿入されて互い違いに重ねられて扇子を閉じるようにする。扇子を閉じた時、正面と背面が幅広の長方形となるので、正面、背面の広告、絵画、文字等を表示しておけば、扇子を閉じた時でも一目で扇子に描かれている内容が分かるので、扇子を広告等として利用する価値を向上できる。
【００１３】
図１乃至図６において、略長方形の扇子を下部を支点として開閉する構造とするために、前記第２側板部４の一方の下端部には、前記正面板部の下端部に固定する固定部１４と、前記扇子を閉じている時に折り返えされかつ開いた時に展開する遊動部１３とを有する底板部９が備えられる。底板部９を有する側の第２側板部を４ａとし、底板部９を有しない側の第２側板部を４ｂとする。
前記底板部９の前記固定部１４は、前記底板部９を有する前記第２側板部４ａを前記第２折り目６により前記第１側板部３の裏面側に折り、かつ、該第１側板部３を前記第１折り目５により前記正面板部２の裏面側に折った状態にて、前記正面板部２の下端部へ固定され、さらに、前記底板部を備えない前記第２側板部４ｂが、前記第２折り目６により前記第１側板部３の裏面側に折り曲げられ、かつ、該第１側板部３が前記第１折り目５により前記正面板部２の裏面側に折り曲げた状態にて、前記底板部９を有する側の第２側板部４ａが折り曲げられた第１側板部３と前記正面板部２との間に挿入され、かつ前記遊動部１３は折り返されているとともに当該状態において閉じており、前記前記第１の折り目５による折り曲げを解除し前記第３の折り目７による折り曲げに移行するとともに前記遊動部１３が展開することにより開くように構成される。
【００１４】
図５および図６において、前記底板部９は、第２側板部４ａの下端を延長して同幅でほぼ四角形に設けられる。底板部９は一方の第２側板部４ａの下部外端である基点Ｃと第２折り目６の下端Ｄ点とを結ぶ線８を基準とし、第２側板部の外端を基点Ｃとする等角度で、放射状に複数の折り目が設けられ、第１側板部、第２側板部を閉じる（折り畳む）時折り返し、開く時展開可能な遊動部１３と、前記正面板部２の裏面に接着材、貼着テープ等で貼着固定する固定部１４とが設けられる。
実施形態では底板部９は、前記結び線８と、側面ＣＦと底面ＥＦと、第２側板部４の下部外端の基点Ｃと第２折り目の下端のＤ点までを半径とする円弧面ＤＥで構成され、結ぶ線８より等角度に第４折り目１０、第５折り目１１が設けられ、第２側板部４ａの延長の延長片１２と、第１側板部３、第２側板部４を閉じる時第４折り目１０で折り返えされ、開いた時に展開される遊動部１３が設けられ、第５折り目１１の下部には正面板部２の下端に固定する固定部１４が設けられている。前記延長片１２と遊動部１３は相似形に設けるので、第４折り目１０で折り返すと延長片１２と遊動部１３が合致し、第４折り目１０で延長片１２と遊動部１３を広げると真っ直ぐに展開できるようにする。前記固定部１４は第５折り目１１と側面ＣＦと底面ＥＦと前記円弧面ＤＥとで構成され、その裏面側に貼着部１４ａが備えられる。貼着部１４ａには、例えば、貼着テープを貼付するか、接着材を塗布する。
また、前記正面板部２は下部背面を貼着部１５とし、該貼着部１５は、前記第２側板部４ａの底板部９の固定部１４の貼着部１４ａを貼着する。実施形態では、前記底板部９の固定部１４側に貼着テープを設けて、正面板部２の下端背面の貼着部１５に貼着固定してあるが、これに限られるものではなく、いずれか一方、或いは両方に接着材を塗布して接着するか、貼着テープ等を備えて貼着することもできる。
【００１５】
図７および図８において、この考案の扇子の組み立て方を説明する。
正面板部２に対して両側の第１側板部３、第２側板部４をそれぞれ第１折り目５、第２折り目６で折曲げ、かつ第１側板部３を斜めの第３折り目７で正面板部２の裏面側に折込み、第２側板部４の底板部９を第４折り目１０、第５折り目１１で折り曲げて固定部１４を正面板部２の下部と第１側板部３との間で正面板部２の下部の貼着部１５に貼着テープ等で貼着して扇子を組み立て、扇子の両側の側板部の開閉時前記第１側板部３の斜めの折り目７を折り曲げ又は展開する作用と、前記第２側板部４の底板部９の遊動部１３を折り返し又は展開する作用とにより扇形、立体的に開閉可能とする。
扇子を前記構造とすれば、前記底板部を備えない前記第２側板部４ｂが、前記第２折り目６により前記第１側板部３の裏面側に折り曲げられ、かつ、該第１側板部３が前記第１折り目５により前記正面板部２の裏面側に折り曲げた状態にて、前記底板部９を有する側の第２側板部４ａが折り曲げられた第１側板部３と前記正面板部２との間に挿入され、かつ前記遊動部１３は折り返されているとともに当該状態において閉じられる。また、前記前記第１の折り目５による折り曲げを解除し前記第３の折り目７による折り曲げに移行するとともに前記遊動部が展開することにより開くことができる。
すなわち、扇子を開く時、底板部９を有する第２側板部４ａの遊動部１３は第５折り目１１より折曲げられて底板部を有しない他方の第２側板部４ｂの裏面側に折り曲げられて第４折り目１０が展開されて遊動部１３と延長片１２が図２に示すように真っ直ぐとなる。
扇子を折り畳んで閉じる時は、図９および図１０に示すように底板部９を有する第２側板部４ａの遊動部１３は第４折り目１０で折り曲げられ、第５折り目１１が展開されて遊動部１３と固定部１４が真っ直ぐとなり、第５折り目１１で折り返した遊動部１３と延長片１２が正面板部２の下部に３角形状に露出し、図１１に示すように正面板部２の裏面に左右の第１側板部３、第２側板部４をくの字に折り返して重ねて閉じる。
【００１６】
この考案の扇子の構造によれば、底板部を備えない前記第２側板部４が、前記第２折り目６により前記第１側板部３の裏面側に折り曲げられ、かつ、該第１側板部３が前記第１折り目５により前記正面板部２の裏面側に折り曲げた状態にて、前記底板部９を有する側の第２側板部４ａが折り曲げられた第１側板部３と前記正面板部２との間に挿入され、かつ前記遊動部１３は折り返されているとともに当該状態において閉じられ、前記第１の折り目５による折り曲げを解除し前記第３の折り目７による折り曲げに移行するとともに前記遊動部が展開することにより開くので、長方形の扇子を的確に開閉でき、一枚のシート材で簡単に組み立てできて便利であり、かつ安価に提供できる。また、扇子を開く時両側の第１側板部の斜めの第３折り目を正面板部の裏面に交叉状に重ねるので、開いた扇子が丈夫となり、扇ぐ時に基部で折れ曲がることを防止することができる。また、この扇子を開いた場合に両側の第１側板部の第３折り目で折り曲げ互い違いに重ねるので、扇子が立体的となり、また、扇子に印刷或いは描く等により表示した広告等が立体的となり、興趣を増大して商品価値を向上できる。そして、折り畳む時には、長方形の正面板部の裏面に側板部を全て第１折り目、第２折り目で折り曲げて互い違いに重ねて閉じることができるので、体裁が良く、かつ長方形の正面板部に広告等の印刷面を従来より広く表示することができる。
この考案の扇子の構造によれば、前記第２側板部４の一方の下端部に設ける底板部９の固定部１４は、前記底板部を有する前記第２側板部４ａを前記第２折り目６により前記第１側板部３の裏面側に折り、かつ、該第１側板部３を前記第１折り目５により前記正面板部２の裏面側に折った状態にて、前記正面板部２の下端部へ固定されており、底板部を備えない前記第２側板部４ｂが、前記第１側板部３の裏面側に折り曲げられ、かつ、該第１側板部３が前記正面板部４の裏面側に折り曲げた状態で、前記底板部９を有する側の第２側板部４ａが折り曲げられた第１側板部３と前記正面板部２との間に挿入され、かつ前記遊動部１３は折り返されているとともに当該状態において正面板部２の裏面に両側の第１側板部３、第２側板部４を重ね合わせて閉じ、前記前記第１の折り目による折り曲げを解除し前記第３の折り目による折り曲げに移行するとともに前記遊動部１３が展開することにより開くので、長方形の扇子を基部を支点として的確に開閉できる。
【００１７】
この考案は上記実施形態に限定されるものではなく、この考案の要旨を逸脱しない範囲で、種々の形態を実施しうるものである。
【図面の簡単な説明】
【００１８】
【図１】この考案の扇子を開いた状態の正面図である。
【図２】同背面図である。
【図３】同平面図である。
【図４】底板部を折り曲げ固定した状態の要部断面図である。
【図５】扇子の正面側展開図である。
【図６】扇子の背面側展開図である。
【図７】扇子の第３折り目を折り込む状態の背面側斜視図である。
【図８】組み立てた扇子を開けかけた状態の背面側斜視図である。
【図９】扇子を閉じた状態の正面図である。
【図１０】同背面図である。
【図１１】同拡大平面図である。
【符号の説明】
【００１９】
１  シート材
２  正面板部
３  第１側板部
４  第２側板部
４ａ  底板部を有する側の第２側板部
４ｂ  底板部を有しない側の第２側板部
５  第１折り目
６  第２折り目
７  斜めの第３折り目
８  結ぶ線
９  底板部
１０  第４折り目
１１  第５折り目
１２  延長片
１３  遊動部
１４  固定部
１５  貼着部
【図１】
0003114461.tif 000003
【図２】
0003114461.tif 000004
【図３】
0003114461.tif 000005
【図４】
0003114461.tif 000006
【図５】
0003114461.tif 000007
【図６】
0003114461.tif 000008
【図７】
0003114461.tif 000009
【図８】
0003114461.tif 000010
【図９】
0003114461.tif 000011
【図１０】
0003114461.tif 000012
【図１１】
0003114461.tif 000013